(57)【要約】      （修正有）【課題】包装三角おにぎりにおいて、分断可能部の傾きを防止して綺麗に包装を解くことができ、耳部からの異物の混入を防止できる包装三角おにぎりを提供する。【解決手段】矩形の包装シート１によって、三角おにぎり飯５の三角形状が表れる様に包装された包装おにぎりにおいて、矩形包装シート１の一端両側を他端側内面に重ねた際に、包装シート１の分断可能部21が三角おにぎり飯５の１つの頂部を通って該三角おにぎり飯５を２分する様に包装シート１が三角おにぎり飯５に被さった状態で、該状態を保つために包装シートの一端側と他端側の重なり部を溶着している。【選択図】図２
0003115097.tif 000002
【実用新案登録請求の範囲】
【請求項１】
略矩形の包装シート(１)に対して、該包装シート(１)の長手方向の略中央部に三角おにぎり飯(５)が位置し、包装シート(１)の一端側が三角おにぎり飯(５)の一方の三角面(51)及び厚み方向の側面に被さると共に該一端側の両側が包装シート(１)の他端側内面に重なり、包装シート(１)の該他端側が三角おにぎり飯(５)の他方の三角面(52)及び厚み方向の側面に重なり該他端側の両側が該三角面(52)とは反対側の三角面(51)上で重なる様に折り畳まれ、該三角面(51)上にて、ラベル貼り、熱溶着等によって止着されている包装三角おにぎりにおいて、包装シート(１)の端部を三角面(51)上で折り重ねた際に、包装シート(１)の分断可能部(21)が三角おにぎり飯(５)の１つの頂部(50)を通って該三角おにぎり飯(５)を２分する様に包装シート(１)が三角おにぎり飯(５)に被さった状態で、該状態を保つために包装シート(１)の一端側と他端側との重なり部(15)(15)を溶着して接合部(16)(16)を設けていることを特徴とする包装三角おにぎり。
【請求項２】
幅方向の略中央部にて長手方向に分断可能な分断可能部(21)を有している外フィルム(２)と、２枚のフィルム片(31)(31)をその長手方向に沿う内側縁を重ね合わせてなる内フィルム(３)との間にシート状食品(４)を挟み、外フィルム(２)と内フィルム(３)の外周側を熱溶着した略矩形の包装シート(１)に対して、該包装シート(１)の長手方向の略中央部に三角おにぎり飯(５)が位置し、包装シート(１)の一端側が三角おにぎり飯(５)の一方の三角面(51)及び厚み方向の側面に被さると共に該一端側の両側が包装シート(１)の他端側内面に重なり、包装シートの該他端側が三角おにぎり飯(５)の他方の三角面(52)及び厚み方向の側面に重なり該他端側の両側が該三角面(52)とは反対側の三角面(51)上で重なる様に折り畳まれ、該三角面(51)上にてラベル貼り、熱溶着等によって止着されている包装三角おにぎりにおいて、包装シート(１)の一端両側を他端側内面に重ねた際に、包装シート(１)の分断可能部(21)が三角おにぎり飯(５)の１つの頂部(50)を通って該三角おにぎり飯(５)を２分する様に三角おにぎり飯(５)に被さった状態で、該状態を保つために包装シート(１)の内フィルム(３)の各内フィルム片(31)(31)の夫々の端部側どうしの重なり部(15)(15)を溶着して接合部(16)(16)を設けていることを特徴とする包装三角おにぎり。
【請求項３】
包装シート(１)の一端側と他端側の溶着による接合部(16)(16)は、三角おにぎり飯(５)の側縁に接近した位置に設けられている請求項１又は２に記載の包装三角おにぎり。
【請求項４】
包装シート(１)の一端側と他端側の溶着による接合部(16)(16)は、外フィルム(２)の分断可能部(21)に対応する三角おにぎり飯(５)の頂部(50)に接近した位置に設けられている請求項１又は２に記載の包装三角おにぎり。
【請求項５】
包装シート(１)の一端側と他端側の溶着による接合部(16)(16)は、剥離可能になされている請求項２乃至４の何れかに記載の包装三角おにぎり。
【請求項６】
包装三角おにぎりは、分断可能部(21)を挟む両端の頂部に対応して耳部(14)(14)が突出しており、該耳部(14)(14)が互に接近する様に折り畳まれて溶着されている請求項１乃至５の何れかに記載の包装三角おにぎり。
【考案の詳細な説明】
【技術分野】
【０００１】
本考案は、矩形の包装シートによって三角おにぎりを、該おにぎりの三角形状がそのまま表れる様に包装した包装三角おにぎりに関するものである。
【背景技術】
【０００２】
従来のこの種包装三角おにぎりの包装シート(１)は、図４、図５、図６に示す如く、外フィルム(２)と、内フィルム(３)との間にシート状食品(４)を挟み、両フィルム(２)(３)の外周部を熱溶着して形成されている。
内フィルム(３)は、２枚のフィルム片(31)(31)を、その長手方向に沿う内側縁を重ね合わせて形成されている。
外フィルム(２)は長手方向に裂け易い方向性フィルムであって、一端側中央部に、２つの短い切込み(22)(22)が施されている。切込み(22)(22)間は、外フィルム(２)の全長に亘る分断可能部(２)となっており、切込み(22)(22)間を摘んで外フィルム(２)の他端側に引っ張ると、切込み(22)(22)間の幅で外フィルム(２)を分断できる。
【０００３】
上記包装シート(１)によって、三角おにぎり飯を自動包装する方法及び装置は、下記に示す如く、出願人が以前に発明した公知の技術である(特許文献１)。
先ず、図７ａに示す如く、外周部に等間隔に型孔(61)を貫通開設したターンテーブル(６)の該型孔の真下に、包装シート(１)を位置させる。
型孔(61)は三角おにぎり飯(５)の形状に対応する大きさであり、型孔(61)の１つの頂部(61a)は、ターンテーブル(６)の矢印Ｘで示す回転方向とは反対側に向いている。
包装シート(１)は、外フィルム(２)が上向きとなり、分断可能部(21)の幅中心線Ｌ1が、型孔(61)の該頂部(61a)と、その対辺の中央を通る仮想線Ｌ3の真下に揃い、且つ包装シート(１)の前記切込み(22)(22)とは反対側の略１／２の部分が型孔(61)の真下に位置し、切込み(22)(22)側がターンテーブル(６)の回転側に向かう様にセットされている。
包装シート(１)の真下から前記ターンテーブル(６)の型孔(61)を貫通する様に、三角おにぎり飯(５)を、該三角おにぎり飯(５)の下側三角面がターンテーブル(６)の上面より僅か高く位置する様に突き上げる。
図７ｂに示す如く、包装シート(１)の型孔(61)側が三角おにぎり飯(５)の上向き三角面(51)に被さると共に、三角おにぎり飯(５)の厚み方向の２つの側面(53)(53)に被さって三角形状に垂下する。
包装シート(１)の、切込み(22)(22)側部分は、三角おにぎり飯(５)の残りの側面(54)に被さって四角形状に垂下する。
【０００４】
次に、突出し部材(図示せず)が、包装シート(１)と一緒に三角おにぎり飯(５)をターンテーブル(６)の回転方向に１ピッチ突き出す。
これによって、包装シート(１)の四角形状の垂下部(12)が、型孔(61)の孔縁を通過する際に、三角おにぎり飯(５)の下向き三角面に被さると共に、２つの三角形状の垂下部(13)(13)を水平に持ち上げて重なり(図７ｃ)、更に待機する空の型孔(図示せず)に嵌まる。これによって、包装シート(１)の両端の重なり部は、該型孔の孔縁によって上向きに畳まれて型孔から上向きに臨出する(図７ｄ)。
上記状態にて、２つの畳み部材(図示せず)がタイミングをずらして水平方向に移動し、包装シート(１)の上向き片(13a)(13a)を三角おにぎり飯(５)の上向き三角面(51)上で重なる様に折り畳み、その上からのラベル貼り、熱溶着等によって、最終折畳み部を止着する。
最後に、型孔(61)から包装三角おにぎりを排出する。
【０００５】
上記手順で包装すれば、図１に示す如く、包装三角おにぎりを、外フィルム(２)の分断可能部(21)の幅中心線Ｌ1が縦向きとなる様にテーブルに置いたとき、該幅中心線Ｌ1は三角おにぎり飯(５)の上側頂部(50)と該上頂部の対辺の中央分を通り、該対辺に沿う線Ｌ2に対して直角を成す。
分断可能部(21)端部の切込み(22)(22)間は起立状態となり、包装を解く際に摘み易く、対辺側へ引っ張り易く、包装を綺麗に解くことができる。
【０００６】
【特許文献１】特公昭６１−２２９３７号公報
【考案の開示】
【考案が解決しようとする課題】
【０００７】
ところが、大量生産された包装おにぎりの中には、図８に示す如く、外フィルム(２)の分断可能部(21)の幅中心線Ｌ1が、三角おにぎり飯(５)の頂部(50)から外れた状態で包装されるものが相当数あった。
この場合、外フィルム(２)の切込み(22)(22)は、三角おにぎり飯(５)の厚み方向の側縁に位置してしまい、包装三角おにぎりの正面からは見えず、その存在が分かり難い。このため、包装の解き方を間違ってしまい、無理矢理にフィルム包装を解くことなり、三角おにぎり飯(５)を型崩れさせたり、又、シート状食品を千切ってしまう問題が生じた。
【０００８】
又、包装手順では、包装三角おにぎりの３つの頂部において、包装シートによって耳部(14)(14)(14a)が外向きに生じる。この耳部から異物が混入されることを防止するために、各耳部(14)(14)(14a)に熱溶着によるシールが施すことが行われている。
ところが、外フィルム(２)の切込み(22)(22)との対応位置の耳部(14a)をシールすると、切込み(22)(22)間がシールされてしまって、分断可能部(21)の分断が阻まれたり、分断の際に引っ掛かりが生じて、上手く分断できないことがあった。
【０００９】
出願人は、分断可能部(21)が三角おにぎり飯(５)の頂部(50)から外れる原因を究明したところ、図７ｃから図７ｄに移る際に、図７ｃにおいて、包装シート(１)の下側部分に被さった上側部分が、下側部分が上向きに畳まれる際に、位置ずれし、これが後工程の包装シート(１)の折り畳みに影響を及ぼすためであることが分かった。
【００１０】
本考案は、上記原因の究明の結果に基づき、分断可能部(21)の傾きを防止して綺麗に包装を解くことができる包装三角おにぎりを明らかにするものである。
又、包装三角おにぎりの分断可能部(21)の分断開始端に対応する耳部(14a)に熱溶着によるシールを施すことなく、該耳部(14a)からの異物の混入を防止できる包装三角おにぎりを明らかにするものである。
【課題を解決するための手段】
【００１１】
本考案は、略矩形の包装シート(１)に対して、該包装シート(１)の長手方向の略中央部に三角おにぎり飯(５)が位置し、包装シート(１)の一端側が三角おにぎり飯(５)の一方の三角面(51)及び厚み方向の側面に被さると共に該一端側の両側が包装シート(１)の他端側内面に重なり、包装シート(１)の該他端側が三角おにぎり飯(５)の他方の三角面(52)及び厚み方向の側面に重なり該他端側の両側が該三角面(52)とは反対側の三角面(51)上で重なる様に折り畳まれ、該三角面(51)上にて、ラベル貼り、熱溶着等によって止着されている包装三角おにぎりにおいて、包装シート(１)の端部を三角面(51)上で折り重ねた際に、包装シート(１)の分断可能部(21)が三角おにぎり飯(５)の１つの頂部(50)を通って該三角おにぎり飯(５)を２分する様に包装シート(１)が三角おにぎり飯(５)に被さった状態で、該状態を保つために包装シート(１)の一端側と他端側との重なり部(15)(15)を溶着して接合部(16)(16)を設けている。
【００１２】
包装シート(１)は、幅方向の略中央部にて長手方向に分断可能な分断可能部(21)を有している外フィルム(２)と、２枚のフィルム片(31)(31)をその長手方向に沿う内側縁を重ね合わせてなる内フィルム(３)との間にシート状食品(４)を挟み、外フィルム(２)と内フィルム(３)の外周側を熱溶着した複数層の包装シートでもよく、或いは１枚ものの包装シートでもよい。
【考案の効果】
【００１３】
包装シート(１)による三角おにぎり飯(５)の包装途上において、三角おにぎり飯(５)の１つの頂部(50)を通って該三角おにぎり飯を２分する様に包装シート(１)が三角おにぎり飯(５)に被さった状態で、該状態を保つために包装シートの一端側と他端側の重なり部(15)を溶着するため、該重なり部(15)を三角おにぎり飯(５)の反対側の三角面(51)に折り重ねる際に、重なり部(15)の重なりが乱れることなく折り重ねることができる。結果的に、外フィルム(２)の分断可能部(21)の幅中心線Ｌ1は傾くことなく、図１に示す如く、三角おにぎり飯(５)の頂部(50)を通り、対辺に沿う線Ｌ2対して直角を成す。
このため、外フィルム(２)の分断可能部(21)の切込み(22)(22)間は、三角おにぎり飯(５)の頂部(50)にて起立状態となる。このため切込み(22)(22)の存在が分かり易く、切込み(22)(22)を摘み易く、且つ対辺側へ引っ張り易くなるため、包装を綺麗に解くことができる。
【００１４】
上記の如く、三角おにぎり飯(５)の１つの頂部(50)を通って該三角おにぎり飯を２分する様に包装シート(１)が三角おにぎり飯(５)に被さった状態で、該状態を保つために包装シートの一端側と他端側の重なり部(15)を溶着すると、該頂部(50)に被さるフィルムが、後工程のシートの折り畳みによっても、頂部(50)からの浮き上がりが防止されるため、包装完了状態において、該頂部(50)近傍では、異物の混入の余地のないほどに包装シートが締まった状態で三角おにぎり飯(５)を包むことができる。即ち、三角おにぎり飯(５)の該頂部(50)に対応する包装シートの耳部(14a)を熱溶着等によってシールすることを省略できる。これによって、該耳部(14a)を通る分断可能部(21)の分断がシールによつて妨げられること防止でき、包装をスムーズに、美しく解くことができる。
【考案を実施するための最良の形態】
【００１５】
本考案の包装三角おにぎりは、工場生産されてコンビニエンスストア等で販売される量販品である。
三角おにぎり飯(５)を包装するための包装シート(１)は、図４、図５、図６に示し、説明済みの従来例と同じである。
包装シート(１)は、外フィルム(２)と内フィルム(３)との間に中間フィルム(３)及びシート状食品(４)を挟んで構成されている。
外フィルム(２)は長さ約２４０mm、幅約１５０mmの長方形に形成されている。
外フィルム(２)の幅方向の略中央部には、端部の切込み(22)(22)から長手方向の全長に亘って分断可能な断可能部(21)を形成している。
外フィルム(２)は、三角おにぎり飯(５)を包装した際に、切込み(22)(22)側が正面となり、該正面部分には、商品名等の標章(10)が印刷されている。
【００１６】
内フィルム(３)は、２枚の同形の矩形のフィルム片(31)(31)を、互いに長手方向に沿う内縁どうしを約１０mm幅で重ね合わせて、全体の輪郭が外フィルム(２)の輪郭と一致する様に形成されている。
【００１７】
外フィルム(２)と内フィルム(３)は、内フィルム(３)を構成するフィルム片(31)(31)の重なり部を除いて、外周縁が熱溶着(11)されている。
【００１８】
シート状食品(４)は、実施例ではシート状海苔(4a)であって、外フィルム(２)及び内フィルム(３)よりも１回り小さい矩形体であり、４隅或いは外フィルム(２)の切込み(22)(22)とは反対側の端部両端に斜めにカット部(41)(41)が形成されている。
【００１９】
三角おにぎり飯(５)に対する包装手順も図７に示した従来例と殆んど同じであり、異なる点を説明する。
図７の包装手順において、図７ａ乃至図７ｃは従来どおりである。
又、包装三角おにぎりの、分断可能部(21)を挟む左右の耳部(14)(14)を互いに接近する方向に折り畳んで、三角おにぎり飯(５)の側面(54)に熱溶着を施して、該耳部(14)(14)の起き上がり防止すると共に、耳部(14)(14)からの異物の混入を防止する。
【００２０】
図７ｃの状態から、図２、図３に示す如く、包装シート(１)の両端側の重なり部(15)(15)を、熱溶着して接合部(16)(16)が設けられ、これによって上側のシートの折り形状が保たれる。
実施例の接合部(16)(16)は、三角おにぎり飯(５)の厚み方向の側面(53)(53)に接近した複数箇所に、剥離可能にスポット的に熱溶着されており、左右夫々少なくとも１箇所の熱溶着は、切込み(22)(22)側の頂部(50)に接近した位置に施される。
実施例の場合、内フィルム(３)の各フィルム片(31)(31)において、夫々両端側が溶着されることなる。
【００２１】
上記熱溶着は、図７ｂに示す様に、ターンテーブル(６)の型孔(61)から包装シート(１)と一緒に三角おにぎり飯(５)がターンテーブル(６)の上面高さまで突き上げられて、次に突き出し部材(図示せず)によって、ターンテーブル(６)の回転方向に突き出さるれ途上で、該突き出し部材上に配備した熱溶着装置(図示せず)によって行うことができる。
その後の工程は、前述した図７ｄ乃至図７ｆの通りである。
【００２２】
上記工程によって製造された包装おにぎりは、包装シート(１)の長手方向の略中央部に三角おにぎり飯(５)が位置し、包装シート(１)の一端側が三角おにぎり飯(５)の一方の三角面(51)及び厚み方向の側面に被さると共に該一端側の両側が包装シート(１)の他端側内面に重なり、包装シートの該他端側が三角おにぎり飯(５)の他方の三角面(52)及び厚み方向の側面に重なり該他端側の両側が該三角面(52)とは反対側の三角面(51)上で重なる様に折り畳まれ、該三角面(51)上にてラベル貼り、熱溶着等によって止着されている。
包装工程において、包装シート(１)の一端両側を他端側内面に重ねた際に、包装シート(１)の分断可能部(21)が三角おにぎり飯(５)の１つの頂部(50)を通って該三角おにぎり飯(５)を２分する様に三角おにぎり飯(５)に被さった状態で、該状態を保つために包装シート(１)の内フィルム(３)の各内フィルム片(31)(31)の夫々の端部側どうしの重なり部(15)(15)を溶着して接合部(16)(16)を設けている。
【００２３】
上記の如く、三角おにぎり飯(５)の１つの頂部(50)を通って該三角おにぎり飯を２分する様に包装シート(１)が三角おにぎり飯(５)に被さった状態で、該状態を保つために包装シートの一端側と他端側の重なり部(15)(15)を溶着しているため、該重なり部(15)を三角おにぎり飯(５)の反対側の三角面(51)に折り重ねる際に、重なり部(15)の重なりが乱れることなく折り重ねることができる。結果的に、外フィルム(２)の分断可能部(21)の幅中心線Ｌ1は傾くことなく、図１に示す如く、三角おにぎり飯(５)の頂部(50)を通り、対辺に沿う線Ｌ2対して直角を成す。
このため、外フィルム(２)の分断可能部(21)の切込み(22)(22)間は、三角おにぎり飯(５)の頂部(50)にて起立状態となる。このため切込み(22)(22)の存在が分かり易く、切込み(22)(22)を摘み易く、且つ対辺側へ引っ張り易くなる。
【００２４】
然して、包装三角おにぎりの包装を解くには、包装シート(１)の上記切込み(22)(22)間を摘んで引っ張り、分断可能部(21)から外フィルム(２)を２分する。内フィルム(３)は該分断可能部(21)に対応して予め２分されているため、該分断可能部(21)を挟んで左右に位置する包装三角おにぎりの２つの耳片(14)(14)を摘んで外側に引っ張ると、外フィルム(２)及び内フィルム(３)は、左右に引き離され、シート状海苔(4a)だけが残って三角おにぎり飯(５)に直接に被さる。
図２、図３で示す包装シート(１)の溶着による接合部(16)(16)は、剥離可能に弱く溶着しているから、耳部(14)(14)を互いに離れる方向に引っ張ったときに接合部(16)が剥離して、引っ掛かりなくスムーズに包装を解くことができる。
【００２５】
尚、接合部(16)が剥離しない場合でも、シート状海苔(4a)のコーナ部がカットさけていることによって、図７ｅ、図７ｆの工程において、三角おにぎり飯(５)の上向き三角面(51)でシートが折り重なる部分にシート状海苔(4a)が入りこんでいないので、包装を解いたときに、シート状海苔(４a)のコーナ部が千切れてシート内に残る無駄は防止される。
【００２６】
前記の如く、三角おにぎり飯(５)の１つの頂部(50)を通って該三角おにぎり飯を２分する様に包装シート(１)が三角おにぎり飯(５)に被さった状態で、該状態を保つために包装シートの一端側と他端側の重なり部(15)を溶着して接合部(16)を設けると、該頂部(50)に被さるフィルムが、後工程のシートの折り畳みによっても、頂部(50)からの浮き上がりが防止されるため、包装完了状態において、該頂部(50)近傍では、異物の混入の余地のないほどに包装シートが締まった状態で三角おにぎり飯(５)を包むことができる。接合部(16)が頂部(50)に近いほどこの効果は高まり、三角おにぎり飯(５)の該頂部(50)に対応する包装シートの耳部(14a)を熱溶着等によってシールすることを省略できる。これによって、該耳部(14a)を通る分断可能部(21)の分断がシールによつて妨げられること防止でき、包装をスムーズに、美しく解くことができる。
【００２７】
上記実施例では、包装シート(１)は、幅方向の略中央部にて長手方向に分断可能な分断可能部(21)を有している外フィルム(２)と、２枚のフィルム片(31)(31)をその長手方向に沿う内側縁を重ね合わせてなる内フィルム(３)との間にシート状食品(４)を挟み、外フィルム(２)と内フィルム(３)の外周側を熱溶着した複数層の包装シートを用いたが、１枚ものの包装シートでも実施可能である。
【００２８】
外フィルム(２)の分断可能部(21)は、外フィルム(２)の幅中心部にカットテープと呼ばれる細幅テープを外フィルム(２)の全長に亘って接着し、該カットテープの一端を引っ張ることによって、外フィルム(２)を分断するものにも本考案を実施できる。
【００２９】
外フィルム(２)の分断可能部(21)は、外フィルム(２)の幅中心部に、所謂ミシン目と呼ばれる断続的な切込みを平行に施して、平行ミシン目間の幅で外フィルム(２)を分断するものであってもよい。
【００３０】
上記実施例の説明は、本考案を説明するためのものであって、実用新案登録請求の範囲に記載の考案を限定し、或は範囲を減縮する様に解すべきではない。又、本考案の各部構成は上記実施例に限らず、実用新案登録請求の範囲に記載の技術的範囲内で種々の変形が可能である。
【図面の簡単な説明】
【００３１】
【図１】包装三角おにぎりの正面図である。
【図２】包装途上の斜面図である。
【図３】包装途上の背面図である。
【図４】包装シートの斜面図である。
【図５】包装シートの分解斜面図である。
【図６】図４Ａ−Ａ線に沿う断面図である。
【図７】包装手順の説明図である。
【図８】外フィルムの分断可能部が三角おにぎり飯の頂部を通らない例の包装おにぎりの正面図である。
【符号の説明】
【００３２】
１  包装シート
２  外フィルム
21  外フィルム
22  切込み
３  内フィルム
４  シート状食品
５  三角おにぎり飯
【図１】
0003115097.tif 000003
【図２】
0003115097.tif 000004
【図３】
0003115097.tif 000005
【図４】
0003115097.tif 000006
【図５】
0003115097.tif 000007
【図６】
0003115097.tif 000008
【図７】
0003115097.tif 000009
【図８】
0003115097.tif 000010